(57)【要約】【課題】  収納物の厚みによらず、保持具で収納物をがたつきなく保持できるとともに保持具を収納部に配置した状態で収納物を収納部に収納できる車両用収納装置の提供。【解決手段】（ａ）奥壁１１と上下壁１２，１３と左右両側壁１４，１５を備え、奥壁１１と上下壁１２，１３と左右両側壁１４，１５とで形成される空間が収納物Ｐを収納可能な収納部Ｓとされた筐体１０と、（ｂ）筐体１０の上壁１２と平行またはほぼ平行な方向に延びる第１のアーム部２１と、第１のアーム部２１から折り返される折り返し部２２と、折り返し部２２から斜め下方に延びる第２のアーム部２３と、を備える保持具２０と、を有し、保持具２０の第２のアーム部２３が収納部Ｓに収納される収納物Ｐによって上方に押されて変位する車両用収納装置。【選択図】        図２
2008155731.tif 000002
【特許請求の範囲】
【請求項１】
（ａ）奥壁と上下壁と左右両側壁を備え、前記奥壁と上下壁と左右両側壁とで形成される空間が収納物を収納可能な収納部とされた筐体と、
（ｂ）前記筐体の上壁と平行またはほぼ平行な方向に延びる第１のアーム部と、該第１のアーム部から折り返される折り返し部と、該折り返し部から斜め下方に延びる第２のアーム部と、を備える保持具と、
を有し、
前記保持具の第２のアーム部が前記収納部に収納される収納物によって上方に押されて変位する車両用収納装置。
【請求項２】
前記保持具は、前記第２のアーム部の延び方向先端部から折り曲げられて斜め上方に延びる第３のアーム部を、さらに備える請求項１記載の車両用収納装置。
【請求項３】
前記第２のアーム部には、該第２のアーム部が前記折り返し部から延びる方向と同方向に延びるスリットが、少なくとも１本設けられている、請求項１記載の車両用収納装置。
【請求項４】
前記第２のアーム部と第３のアーム部には、前記第２のアーム部が前記折り返し部から延びる方向と同方向に延びるスリットが、少なくとも一本設けられている、請求項２記載の車両用収納装置。
【請求項５】
前記保持具は、前記第１のアーム部で前記筐体の上壁に取付けられている請求項１記載の車両用収納装置。
【請求項６】
前記保持具は、前記第１のアーム部から折り曲げられて前記筐体の奥壁と平行またはほぼ平行な方向に延びる第４のアーム部を備えており、
前記保持具は、前記第４のアーム部で前記筐体の奥壁に取付けられている請求項１記載の車両用収納装置。
【発明の詳細な説明】
【技術分野】
【０００１】
本発明は、車両用収納装置に関する。
【背景技術】
【０００２】
従来、車両に設けられる筐体の収納部にＤＶＤケース、ＣＤケース、ＭＤケース等の収納物を収納する場合、車両の走行停止時の振動や横過重により、収納物が収納部内で倒れたり、収納物が収納部内でがたついて筐体壁部と接触し異音を発生するおそれがある。
特開平１０−３１５８６３号公報開示の収納装置のように、筐体の収納部を複数の収納部に分ける保持具（仕切り板）を設けて、収納物が収納部内で倒れたりがたつくことを防止することが考えられる。
【０００３】
しかし、筐体の収納部を複数の収納部に分ける保持具（仕切り板）を設ける場合であっても、つぎの問題点がある。
（ｉ）収納物の厚みに応じた位置に保持具を設定しなければ収納物が収納部内でがたついてしまう。また、収納物の厚みに応じた位置に保持具を設定した場合であっても、分けた収納部の広い方に収納物を収納してしまった場合、収納物が収納部内でがたついてしまう。
（ｉｉ）保持具を収納部から取り外さなければ収納部に収納できない程厚みが大の収納物を収納部に収納する場合、保持具を収納部から取り外さなければならず、手間がかかる。また、取り外した保持具の置き場がなく、取り外した保持具が邪魔になってしまう。
【特許文献１】特開平１０−３１５８６３号公報
【発明の開示】
【発明が解決しようとする課題】
【０００４】
本発明の第１の目的は、収納物の厚みによらず保持具で収納物をがたつきなく保持できる車両用収納装置を提供することにある。
本発明の第２の目的は、収納物の厚みによらず保持具を収納部に配置した状態で収納物を収納部に収納できる車両用収納装置を提供することにある。
【課題を解決するための手段】
【０００５】
上記目的を達成する本発明はつぎの通りである。
（１）  （ａ）奥壁と上下壁と左右両側壁を備え、前記奥壁と上下壁と左右両側壁とで形成される空間が収納物を収納可能な収納部とされた筐体と、
（ｂ）前記筐体の上壁と平行またはほぼ平行な方向に延びる第１のアーム部と、該第１のアーム部から折り返される折り返し部と、該折り返し部から斜め下方に延びる第２のアーム部と、を備える保持具と、
を有し、
前記保持具の第２のアーム部が前記収納部に収納される収納物によって上方に押されて変位する車両用収納装置。
（２）  前記保持具は、前記第２のアーム部の延び方向先端部から折り曲げられて斜め上方に延びる第３のアーム部を、さらに備える（１）記載の車両用収納装置。
（３）  前記第２のアーム部には、該第２のアーム部が前記折り返し部から延びる方向と同方向に延びるスリットが、少なくとも１本設けられている、（１）記載の車両用収納装置。
（４）  前記第２のアーム部と第３のアーム部には、前記第２のアーム部が前記折り返し部から延びる方向と同方向に延びるスリットが、少なくとも一本設けられている、（２）記載の車両用収納装置。
（５）  前記保持具は、前記第１のアーム部で前記筐体の上壁に取付けられている（１）記載の車両用収納装置。
（６）  前記保持具は、前記第１のアーム部から折り曲げられて前記筐体の奥壁と平行またはほぼ平行な方向に延びる第４のアーム部を備えており、
前記保持具は、前記第４のアーム部で前記筐体の奥壁に取付けられている（１）記載の車両用収納装置。
【発明の効果】
【０００６】
上記（１）の車両用収納装置によれば、保持具の第２のアーム部が収納部に収納される収納物によって上方に押されて変位するため、収納物は保持具によって（保持具２０の反発力により）下壁に押し付けられる。その結果、収納物が収納部内でがたつくことを防止できる。
また、保持具が収納物を下壁に押し付けるため、収納物の厚みによらず、保持具で収納物をがたつきなく保持できる。
また、保持具が収納物を下壁に押し付けるため、収納物の厚みによらず保持具を収納部に配置した状態で収納物を収納部に収納できる。
上記（２）の車両用収納装置によれば、保持具が第２のアーム部の延び方向先端部から折り曲げられて斜め上方に延びる第３のアーム部を備えるため、収納物を出し入れするときに収納物が保持具に引っかかることを防止できる。
上記（３）または（４）の車両用収納装置によれば、スリットが少なくとも１本設けられているため、収納部に収納される複数の収納物のそれぞれの高さに僅かな違いがある場合であっても、高さの高い方の収納物をスリットより一側に収納し高さの低い方の収納物をスリットより他側に収納することで、高さの低い方の収納物が保持具によって下壁に押し付けられず収納部内でがたつくことを防止できる。
上記（５）の車両用収納装置によれば、保持具が筐体の上壁に取付けられているため、保持具が筐体の奥壁、下壁、左右両側壁のいずれかに取付けられている場合に比べて、保持具の筐体への取付け部が見え難く見栄えがよい。
上記（６）の車両用収納装置によれば、保持具が筐体の奥壁に取付けられているため、保持具が筐体の上壁に取付けられている場合に比べて、保持具を容易に筐体に取付けることができる。
【発明を実施するための最良の形態】
【０００７】
図１〜図５は、本発明実施例１の車両用収納装置を示しており、図６、図７は、本発明実施例２の車両用収納装置を示している。ただし、図１は、本発明実施例２にも適用可能である。
本発明実施例１と実施例２にわたって共通する部分には、本発明実施例１と実施例２にわたって同じ符号を付してある。
まず、本発明実施例１と実施例２にわたって共通する部分を、たとえば図１、図２、図４、図５を参照して、説明する。
本発明実施例の車両用収納装置は、図２に示すように、車両に設けられる筐体１０と、筐体１０に収納される収納物Ｐを保持する保持具２０と、を備える。
【０００８】
筐体１０は、たとえば車両のリヤコンソール、車両のフロントコンソールの背面等に設けられる。以下、本発明実施例および図示例では、筐体１０が車両のリヤコンソールに設けられる場合を説明する。
【０００９】
筐体１０は、たとえば樹脂性である。筐体１０は、車両後方側の奥壁１１と、奥壁１０の上端から車両前方に延びる上壁１２と、奥壁１０の下端から車両前方に延びる下壁１３と、奥壁１０の車両左右方向両側端から車両前方に延びる左右両側壁１４，１５と、を備える。
上壁１２と下壁１３とは、上下方向に互いに対向しており、左右両側壁１４，１５は、車両左右方向に互いに対向している。奥壁１１と上下壁１２、１３と左右両側壁１４，１５とで形成される空間が、ＤＶＤケース、ＣＤケース、ＭＤケース等の収納物Ｐを収納可能な収納部Ｓとされている。収納部Ｓは、車両前方に車室内側に開放している。
筐体１０には、図１に示すように、収納部Ｓの開口を開閉するための蓋１６が設けられていることが望ましい。
【００１０】
保持具２０は、図４に示すように、弾性変形可能であり、たとえば、樹脂製または金属製である。保持具２０は、接着、溶着、ボルト締め、ビス締め、リベット２０ａのカシメまたはスナップフィット等により、筐体１０に固定して取付けられている。保持具２０は、筐体１０に直接取付けられていてもよく、筐体１０に対して固定の図示略の部材を介して筐体１０に取付けられていてもよい。
【００１１】
保持具２０は、板状の第１のアーム部２１と、第１のアーム部２１から折り返される折り返し部２２と、折り返し部２２から斜め下方に延びる板状の第２のアーム部２３と、第２のアーム部２３の延び方向先端部から折り曲げられて斜め上方に延びる板状の第３のアーム部２４と、を備える。
第１のアーム部２１と折り返し部２２と第２のアーム部２３と第３のアーム部２４は、一体に形成されている。
【００１２】
第１のアーム部２１は、筐体１０の上壁１２と平行またはほぼ平行な方向に延びている。第１のアーム部２１の上面は、第１のアーム部２１が上壁１２に接触して異音が発生することを防止するために、上壁１２と常時面接触していることが望ましい。第１のアーム部２１の奥壁１１側端は、奥壁１１に接触しているか、奥壁１１の近傍にある。第１のアーム部２１の車両左右方向長さは、（ｉ）収納物Ｐを収納部Ｓの左右方向のどの位置に収納しても保持具２０で収納物Ｐを確実に保持できるようにするために、また、（ｉｉ）第１のアーム部２１が左右両側壁１４，１５に接触して異音を発生することを防止するために、上壁１２の車両左右方向長さよりわずかに小とされている。第１のアーム部２１の車両前後方向長さは、上壁１２の車両前後方向長さより小とされており（たとえば上壁１２の車両前後方向長さの１／２〜９／１０程度とされており）、通常使用時に上壁１２で第１のアーム部２１を見えにくくできる程度とされている。
【００１３】
折り返し部２２は、第１のアーム部２１の、奥壁１１と反対側端（収納部Ｓの開口側端）から、奥壁１１側に折り返される。折り返し部２２の車両左右方向長さは、第１のアーム部２１の車両左右方向長さと同じである。
【００１４】
第２のアーム部２３は、折り返し部２２から奥壁１１側かつ下壁１３側に、側面視で直線状にまたは下方に凸となるように湾曲して所定量延びている。第２のアーム部２３が奥壁１１側かつ下壁１３側に（斜め下方に）延びているため、第２のアーム部２３の上面と第１のアーム部２１の下面との間には隙間がある。該隙間があり、また、保持具２０が弾性変形可能であるため、第２のアーム部２３は、上下方向に、第１のアーム部２１に接近・離反する方向に変移可能である。そのため、第２のアーム部２３は、収納部Ｓに収納物Ｐを収納したときに収納物Ｐによって上方に押されて上方に変移する。
第２のアーム部２３の延び方向先端部は、車両前後方向で、上壁１２の車両前後方向中央部と同じかまたはほぼ同じ位置にある。第２のアーム部２３の車両左右方向長さは、第１のアーム部２１の車両左右方向長さと同じである。
【００１５】
第３のアーム部２４は、第２のアーム部２３の奥壁１１側端から奥壁１１側かつ上壁１２側に、側面視で直線状にまたは下方に凸となるように湾曲して所定量延びている。第３のアーム部２４と第２のアーム部２３とは、収納部Ｓに収納される収納物Ｐを傷つけることを防止するとともに収納部Ｓに収納される収納物Ｐとの接触面積を大にするために、滑らかに（急激な角度変化を伴うことなく）連なっていることが望ましい。第３のアーム部２４の延び方向先端部は上壁１２及び奥壁１１に非接触である。第３のアーム部２４の延び方向先端部が上壁１２及び奥壁１１に非接触であるため、第２のアーム部２３が上下方向に変移することを第３のアーム部２４が邪魔することはない。
【００１６】
第２のアーム部２３と第３のアーム部２４には、図５に示すように、車両前後方向に（第２のアーム部２３が第１のアーム部２１から延びる方向と同方向に）延びるスリット２５が、少なくとも１本設けられていることが望ましい。
スリット２５が複数本設けられる場合、各スリット２５は、車両左右方向に間隔を隔てて設けられる。
【００１７】
ここで、本発明実施例１と実施例２にわたって共通する部分の作用を説明する。
本発明実施例では、保持具２０の第２のアーム部２３が収納部Ｓに収納される収納物Ｐによって上方に押されて変位するため、収納物Ｐは保持具２０によって（保持具２０の反発力により）下壁１３に押し付けられる。その結果、収納物Ｐが収納部Ｓ内でがたつくことを防止できる。
また、保持具２０が収納物Ｐを下壁１３に押し付けるため、収納物Ｐの厚みによらず、保持具２０で収納物Ｐをがたつきなく保持できる。また、保持具２０が収納物Ｐを下壁１３に押し付けるため、収納物Ｐの厚みによらず保持具２０を収納部Ｓに配置した状態で収納物Ｐを収納部Ｓに収納できる。
【００１８】
保持具２０が第２のアーム部２３の延び方向先端部から折り曲げられて斜め上方に延びる第３のアーム部２４を備えるため、収納物Ｐを収納部Ｓに出し入れするときに収納物Ｐが保持具２０に引っかかることを防止できる。
第２、第３のアーム部２３，２４にスリット２５が少なくとも１本設けられている場合、収納部Ｓに収納される複数の収納物Ｐのそれぞれの高さに僅かな違いがある場合であっても、高さの高い方の収納物Ｐをスリット２５より左右一側に収納し高さの低い方の収納物Ｐをスリット２５より左右他側に収納することで、高さの低い方の収納物Ｐが保持具２０によって下壁１３に押し付けられず収納部Ｓ内でがたつくことを防止できる。
【００１９】
つぎに、本発明各実施例に特有な部分を説明する。
〔実施例１〕（図１〜図５）
本発明実施例１では、保持具２０は、第１のアーム部２１で筐体１０の上壁１２に取付けられている。
図３、図４に示すように保持具２０がリベット２０ａを用いて上壁１２に取付けられている場合には、第１のアーム部２１と上壁１２に、リベット２０ａが挿通するリベット挿通用孔２１ａ、１２ａが設けられている。リベット挿通用孔２１ａ、１２ａは、保持具２０を上壁１２に取付ける時に第２、第３のアーム部２３，２４が邪魔にならないように、第３のアーム部２４よりも奥壁１１側の第１のアーム部２１部分および上側１２部分に設けられている。
【００２０】
本発明実施例１では、保持具２０が筐体１０の上壁１２に取付けられているため、保持具２０が筐体１０の奥壁１１、下壁１３、左右両側壁１４，１５のいずれかに取付けられている場合に比べて、保持具２０の筐体１０への取付け部が見え難く見栄えがよい。
【００２１】
〔実施例２〕（図６、図７）
本発明実施例２では、保持具２０は、第１のアーム部２１から折り曲げられて筐体１０の奥壁１１と平行またはほぼ平行な方向に延びる第４のアーム部２６を備えており、第４のアーム部２６で筐体１０の奥壁１１に取付けられている。
【００２２】
第４のアーム部２６は、第１のアーム部２１と一体に形成されている。第４のアーム部２６は、第１のアーム部２１の奥壁１１側端から折り曲げられて下壁１３側に（下方に）延びている。第４のアーム部２６は、奥壁１１と平行またはほぼ平行な方向に延びている。第４のアーム部２６は、第４のアーム部２６が奥壁１１に接触して異音が発生することを防止するために、奥壁１１と常時面接触していることが望ましい。第４のアーム部２６の下壁１３側端は、下壁１３に接触していてもよく非接触であってもよい。第４のアーム部２６の下壁１３側端は、第２のアーム部２３が上方に変移していないときの第２、第３のアーム部２３，２４の下端よりも下方に位置している。第４のアーム部２６の車両左右方向長さは、第１のアーム部２１の車両左右方向長さと同じである。
【００２３】
図７に示すように保持具２０がリベット２０ａを用いて奥壁１１に取付けられている場合には、第４のアーム部２６と奥壁１１に、リベット２０ａが挿通するリベット挿通用孔２６ａ、１１ａが設けられている。リベット挿通用孔２６ａ、１１ａは、保持具２０を奥壁１１に取付ける時に第２、第３のアーム部２３，２４が邪魔にならないように、第２、第３のアーム部２３，２４の下端よりも下方の第４のアーム部２６部分および奥壁１１部分に設けられている。
【００２４】
本発明実施例２では、保持具２０が筐体１０の奥壁１１に取付けられているため、保持具２０が筐体１０の上壁１２に取付けられている場合に比べて、保持具２０を容易に筐体１０に取付けることができる。
【図面の簡単な説明】
【００２５】
【図１】本発明実施例の車両用収納装置の筐体が車両のリヤコンソールに設けられ手いる場合の、リヤコンソールの部分斜視図である。
【図２】本発明実施例１の車両用収納装置の透視斜視図である。
【図３】収納部に収納物を収納していない場合の、図２のＡ−Ａ線断面図である。
【図４】収納部に収納物を収納したときの、図２のＡ−Ａ線断面図である。
【図５】本発明実施例１の車両用収納装置の、スリットが設けられている場合の保持具の斜視図である。
【図６】本発明実施例２の車両用収納装置の保持具の斜視図である。
【図７】本発明実施例２の車両用収納装置の、保持具とその近傍のみを示す部分断面図である。
【符号の説明】
【００２６】
１０  筐体
１１  奥壁
１２  上壁
１３  下壁
１４、１５  左右両側壁
１６  蓋
２０  保持具
２０ａ  リベット
２１  第１のアーム部
２２  折り返し部
２３  第２のアーム部
２４  第３のアーム部
２５  スリット
２６  第４のアーム部
１１ａ、１２ａ、２１ａ、２６ａ  リベット挿通用孔
収納部  Ｓ
収納物  Ｐ
【図１】
2008155731.tif 000003
【図２】
2008155731.tif 000004
【図３】
2008155731.tif 000005
【図４】
2008155731.tif 000006
【図５】
2008155731.tif 000007
【図６】
2008155731.tif 000008
【図７】
2008155731.tif 000009